【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
携帯電子機器と、サーバ装置と、前記携帯電子機器と前記サーバ装置との間のデータの送受を仲介するクレードル装置と、前記サーバ装置に接続するようにされるホーム機器とからなるデータ通信システムであって、
前記携帯電子機器は、
前記クレードル装置との間で通信を行う通信手段と、
自機宛に送信されてくる前記サーバ装置からの情報を、前記通信手段を通じて受信するようにする受信制御手段と、
前記通信手段を通じて受信した情報が自機宛の前記提供情報である場合に、当該提供情報を記憶保持する記憶手段と、
前記記憶手段に記憶された提供情報の利用を制御する利用制御手段と
を備え、
前記クレードル装置は、
自機に接続するようにされた前記携帯電子機器との間で通信を行う第１の通信手段と、
前記サーバ装置との間で通信を行う第２の通信手段と、
携帯電子機器が接続するようにされたことを検出する接続検出手段と、
前記接続検出手段により携帯電子機器が接続するようにされたことが検出された場合に、前記第２の通信手段を通じて、前記携帯電子機器が接続するようにされたことを前記サーバ装置に通知するようにする通知制御手段と、
前記第１の通信手段と前記第２の通信手段とを制御し、前記携帯電子機器と、前記サーバ装置との間の通信を中継するように制御する中継制御手段と
を備え、
前記サーバ装置は、
前記クレードル装置との間で通信を行う第１の通信手段と、
前記ホーム機器との間で通信を行う第２の通信手段と、
前記第１の通信手段を通じて前記クレードル装置に携帯電子機器が接続するようにされたことの通知を受け付けた場合であって、前記携帯電子機器がデータの提供を受けるものである場合に、前記ホーム機器に対する目的とする情報の提供要求を形成し、前記第２の通信手段を通じて前記ホーム機器に送信するようにする第１の送信制御手段と、
前記目的とする情報の提供要求に応じて前記ホーム機器から送信されてくる情報を前記第２の通信手段を介して受信し、この受信した情報を前記第１の通信手段を通じて送信することにより、前記クレードル装置を介して前記携帯電子機器に送信するように制御する中継制御手段と
を備え、
前記ホーム機器は、
前記サーバ装置との間で通信を行う通信手段と、
前記通信手段を通じて情報の提供要求を受信した場合に、当該提供要求に応じた情報を準備する準備手段と、
前記準備手段によって準備した前記情報を、前記通信手段を通じて前記携帯電子機器に対して送信するように制御する送信制御手段と
を備えるデータ通信システム。
【請求項２】
請求項１に記載のデータ通信システムであって、
前記サーバ装置は、
前記第１の通信手段を通じて前記クレードル装置に携帯電子機器が接続するようにされたことの通知を受け付けた場合であって、前記携帯電子機器がデータの提供を受けるものである場合に、前記携帯電子機器に対して、蓄積データの削除を要求する削除要求を形成する削除要求形成手段と、
前記削除要求形成手段で形成された前記削除要求を、前記第１の通信手段を通じて前記携帯電子機器に送信するように制御する削除要求送信制御手段と
を備え、
前記携帯電子機器は、
前記通信手段を通じて受信した情報が自機宛の蓄積データの削除要求である場合に、当該削除要求に応じて、前記記憶手段に記憶されている蓄積データを削除する蓄積データ削除手段を備えるデータ通信システム。
【請求項３】
請求項１に記載のデータ通信システムであって、
前記サーバ装置は、
前記第２の通信手段を通じて、１以上のホーム機器のそれぞれと通信処理を行うことができるようにされており、
前記第１の通信手段を通じて前記クレードル装置に携帯電子機器が接続するようにされたことの通知を受け付けた場合であって、当該通知に含まれる情報に応じて特定される前記携帯電子機器に応じて、通信の相手先となるホーム機器を選択する選択手段を備えるデータ通信システム。
【請求項４】
請求項３に記載のデータ通信システムであって、
前記サーバ装置の前記第２の通信手段を通じて接続可能な１以上のホーム機器の中には、広域ネットワーク上に設けられたサーバ装置を含むデータ通信システム。
【請求項５】
携帯電子機器と、サーバ装置と、前記携帯電子機器と前記サーバ装置との間のデータの送受を仲介するクレードル装置と、前記サーバ装置に接続するようにされるホーム機器とからなるデータ通信システムであって、
前記携帯電子機器は、
前記クレードル装置との間で通信を行う通信手段と、
自機宛に送信されてくる前記サーバ装置からの情報を、前記通信手段を通じて受信するようにする受信制御手段と、
前記通信手段を通じて受信した情報が自機宛の情報提供要求である場合に、当該提供要求に応じて要求元に送信する送信情報を準備する準備手段と、
前記準備手段により準備された送信情報を、前記通信手段を通じて要求元に送信するように制御する送信制御手段と
を備え、
前記クレードル装置は、
自機に接続するようにされた前記携帯電子機器との間で通信を行う第１の通信手段と、
前記サーバ装置との間で通信を行う第２の通信手段と、
携帯電子機器が接続するようにされたことを検出する接続検出手段と、
前記接続検出手段により携帯電子機器が接続するようにされたことが検出された場合に、前記第２の通信手段を通じて、前記携帯電子機器が接続するようにされたことを前記サーバ装置に通知するようにする通知制御手段と、
前記第１の通信手段と前記第２の通信手段とを制御し、前記携帯電子機器と、前記サーバ装置との間の通信を中継するように制御する中継制御手段と
を備え、
前記サーバ装置は、
前記クレードル装置との間で通信を行う第１の通信手段と、
前記ホーム機器との間で通信を行う第２の通信手段と、
前記第１の通信手段を通じて前記クレードル装置に携帯電子機器が接続するようにされたことの通知を受け付けた場合であって、前記携帯電子機器がデータを提供するものである場合に、前記携帯電子機器に対する目的とする情報の提供要求を形成し、前記第１の通信手段を通じて前記携帯電子機器に送信するようにする第１の送信制御手段と、
前記目的とする情報の提供要求に応じて前記携帯電子機器から送信されてくる情報を前記第１の通信手段を介して受信し、この受信した情報を前記第２の通信手段を通じて送信することにより、前記ホーム機器に送信するように制御する中継制御手段と、
を備え、
前記ホーム機器は、
前記サーバ装置との間で通信を行う通信手段と、
前記通信手段を通じて自機宛の提供情報を受信した場合に、当該提供情報を記憶保持する記憶手段と
を備えるデータ通信システム。
【請求項６】
請求項５に記載のデータ通信システムであって、
前記サーバ装置は、
前記中継制御手段の制御により、前記携帯電子機器からの提供情報をホーム機器に送信する中継処理を行うようにし、当該中継処理が終了した後に、前記携帯電子機器に対して、蓄積データの削除を要求する削除要求を形成する削除要求形成手段と、
前記削除要求形成手段で形成された前記削除要求を、前記第１の通信手段を通じて前記携帯電子機器に送信するように制御する削除要求送信制御手段と
を備え、
前記携帯電子機器は、
前記通信手段を通じて受信した情報が自機宛の蓄積データの削除要求である場合に、当該削除要求に応じて、前記記憶手段に記憶されている蓄積データを削除する蓄積データ削除手段を備えるデータ通信システム。
【請求項７】
請求項５に記載のデータ通信システムであって、
前記ホーム機器は、
前記携帯電子機器から提供を受けて、前記記憶手段に記憶した提供情報に応じた処理を行う提供情報処理手段を備えるデータ通信システム。
【請求項８】
請求項５に記載のデータ通信システムであって、
前記サーバ装置は、
前記第２の通信手段を通じて、１以上のホーム機器のそれぞれと通信処理を行うことができるようにされており、
前記第１の通信手段を通じて前記クレードル装置に携帯電子機器が接続するようにされたことの通知を受け付けた場合であって、当該通知に含まれる情報に応じて特定される前記携帯電子機器に応じて、通信の相手先となるホーム機器を選択する選択手段を備えるデータ通信システム。
【請求項９】
請求項８に記載のデータ通信システムであって、
前記サーバ装置の前記第２の通信手段を通じて接続可能な１以上のホーム機器の中には、広域ネットワーク上に設けられたサーバ装置を含むデータ通信システム。
【請求項１０】
携帯電子機器と、サーバ装置と、前記携帯電子機器と前記サーバ装置との間のデータの送受を仲介するクレードル装置と、前記サーバ装置に接続するようにされるホーム機器とからなるデータ通信システムで用いられる前記クレードル装置あって、
自機に接続するようにされた前記携帯電子機器との間で通信を行う第１の通信手段と、
前記サーバ装置との間で通信を行う第２の通信手段と、
携帯電子機器が接続するようにされたことを検出する接続検出手段と、
前記接続検出手段により携帯電子機器が接続するようにされたことが検出された場合に、前記第２の通信手段を通じて、前記携帯電子機器が接続するようにされたことを前記サーバ装置に通知するようにする通知制御手段と、
前記第１の通信手段と前記第２の通信手段とを制御し、前記携帯電子機器と、前記サーバ装置との間の通信を中継するように制御する中継制御手段と
を備えるクレードル装置。
【請求項１１】
携帯電子機器と、サーバ装置と、前記携帯電子機器と前記サーバ装置との間のデータの送受を仲介するクレードル装置と、前記サーバ装置に接続するようにされるホーム機器とからなるデータ通信システムで用いられるサーバ装置であって、
前記クレードル装置との間で通信を行う第１の通信手段と、
前記ホーム機器との間で通信を行う第２の通信手段と、
前記第１の通信手段を通じて前記クレードル装置に携帯電子機器が接続するようにされたことの通知を受け付けた場合であって、前記携帯電子機器がデータの提供を受けるものである場合に、前記ホーム機器に対して、目的とする情報の提供要求を形成し、前記第２の通信手段を通じて前記ホーム機器に送信するようにする第１の送信制御手段と、
前記目的とする情報の提供要求に応じて前記ホーム機器から送信されてくる情報を前記第２の通信手段を介して受信し、この受信した情報を前記第１の通信手段を通じて送信することにより、前記クレードル装置を介して前記携帯電子機器に送信するように制御する中継制御手段と
を備えるサーバ装置。
【請求項１２】
請求項１１に記載のサーバ装置であって、
前記第１の通信手段を通じて前記クレードル装置に携帯電子機器が接続するようにされたことの通知を受け付けた場合であって、前記携帯電子機器がデータの提供を受けるものである場合に、前記携帯電子機器に対して、蓄積データの削除を要求する削除要求を形成する削除要求形成手段と、
前記削除要求形成手段で形成された前記削除要求を、前記第１の通信手段を通じて前記携帯電子機器に送信するように制御する削除要求送信制御手段と
を備えるサーバ装置。
【請求項１３】
請求項１１に記載のサーバ装置であって、
前記第２の通信手段を通じて、１以上のホーム機器のそれぞれと通信処理を行うことができるようにされており、
前記第１の通信手段を通じて前記クレードル装置に携帯電子機器が接続するようにされたことの通知を受け付けた場合であって、当該通知に含まれる情報に応じて特定される前記携帯電子機器に応じて、通信の相手先となるホーム機器を選択する選択手段を備えるサーバ装置。
【請求項１４】
請求項１３に記載のサーバ装置であって、
前記第２の通信手段を通じて接続可能な１以上のホーム機器の中には、広域ネットワーク上に設けられたサーバ装置を含むサーバ装置。
【請求項１５】
携帯電子機器と、サーバ装置と、前記携帯電子機器と前記サーバ装置との間のデータの送受を仲介するクレードル装置と、前記サーバ装置に接続するようにされるホーム機器とからなるデータ通信システムで用いられるサーバ装置であって、
前記クレードル装置との間で通信を行う第１の通信手段と、
前記ホーム機器との間で通信を行う第２の通信手段と、
前記第１の通信手段を通じて前記クレードル装置に携帯電子機器が接続するようにされたことの通知を受け付けた場合であって、前記携帯電子機器がデータを提供するものである場合に、前記携帯電子機器に対して、目的とする情報の提供要求を形成し、前記第１の通信手段を通じて前記携帯電子機器に送信するようにする第１の送信制御手段と、
前記目的とする情報の提供要求に応じて前記携帯電子機器から送信されてくる情報を前記第１の通信手段を介して受信し、この受信した情報を前記第２の通信手段を通じて送信することにより、前記ホーム機器に送信するように制御する中継制御手段と
を備えるサーバ装置。
【請求項１６】
請求項１５に記載のサーバ装置であって、
前記中継制御手段の制御により、前記携帯電子機器からの提供情報をホーム機器に送信する中継処理を行うようにし、当該中継処理が終了した後に、前記携帯電子機器に対して、蓄積データの削除を要求する削除要求を形成する削除要求形成手段と、
前記削除要求形成手段で形成された前記削除要求を、前記第１の通信手段を通じて前記携帯電子機器に送信するように制御する削除要求送信制御手段と
を備えるサーバ装置。
【請求項１７】
請求項１５に記載のサーバ装置であって、
前記第２の通信手段を通じて、１以上のホーム機器のそれぞれと通信処理を行うことができるようにされており、
前記第１の通信手段を通じて前記クレードル装置に携帯電子機器が接続するようにされたことの通知を受け付けた場合であって、当該通知に含まれる情報に応じて特定される前記携帯電子機器に応じて、通信の相手先となるホーム機器を選択する選択手段を備えるサーバ装置。
【請求項１８】
請求項１７に記載のサーバ装置であって、
前記第２の通信手段を通じて接続可能な１以上のホーム機器の中には、広域ネットワーク上に設けられたサーバ装置を含むサーバ装置。
【請求項１９】
携帯電子機器と、サーバ装置と、前記携帯電子機器と前記サーバ装置との間のデータの送受を仲介するクレードル装置と、前記サーバ装置に接続するようにされるホーム機器とからなるデータ通信システムで用いられるデータ通信方法であって、
前記クレードル装置において、接続検出手段が、携帯電子機器が接続するようにされたことを検出する接続検出工程と、
前記クレードル装置の前記接続検出工程において携帯電子機器が接続するようにされたことが検出した場合に、前記サーバ装置との間で通信を行うクレードル装置の第２の通信手段を通じて、前記携帯電子機器が接続するようにされたことを前記サーバ装置に通知するようにする通知工程と、
前記サーバ装置において、前記クレードル装置との間で通信を行うサーバ装置の第１の通信手段を通じて前記クレードル装置に携帯電子機器が接続するようにされたことの通知を受け付けた場合であって、前記携帯電子機器がデータの提供を受けるものである場合に、前記ホーム機器に対して、目的とする情報の提供要求を形成し、前記ホーム機器との間で通信を行うサーバ装置の第２の通信手段を通じて前記ホーム機器に送信するようにする第１の送信工程と、
前記ホーム機器において、前記サーバ装置との間で通信を行うホーム機器の通信手段を通じて情報の提供要求を受信した場合に、準備手段が、当該提供要求に応じた提供情報を準備する準備工程と、
前記ホーム機器の前記準備工程において準備した前記提供情報を、ホーム機器の前記通信手段を通じて前記携帯電子機器に対して送信するように制御する第２の送信工程と、
前記サーバ装置において、前記目的とする情報の提供要求に応じて前記ホーム機器から送信されてくる前記提供情報をサーバ装置の前記第２の通信手段を介して受信し、この受信した提供情報をサーバ装置の前記第１の通信手段を通じて送信することにより、前記クレードル装置を介して前記携帯電子機器に送信するように制御するサーバ装置における中継制御工程と、
前記クレードル装置において、前記サーバ装置との間で通信を行うクレードル装置の前記第２の通信手段を通じて受信する前記ホーム機器からの前記提供情報を受信し、これを自機に接続するようにされた前記携帯電子機器との間で通信を行うクレードル装置の第１の通信手段を通じて送信して、前記提供情報を前記携帯電子機器に送信するクレードル装置における中継制御工程と、
前記携帯電子機器において、前記クレードル装置との間で通信を行う携帯電子機器の通信手段を通じて自機宛に送信されてくる前記サーバ装置からの情報を受信するようにする第１の受信工程と、
前記携帯電子機器の前記受信工程において携帯電子機器の前記通信手段を通じて受信した情報が、自機宛の前記提供情報である場合に、当該提供情報を記憶手段に記録する記録工程と、
前記携帯電子機器の利用制御手段により、前記記憶手段に記憶された提供情報の利用を制御する利用制御工程と
を有するデータ通信方法。
【請求項２０】
携帯電子機器と、サーバ装置と、前記携帯電子機器と前記サーバ装置との間のデータの送受を仲介するクレードル装置と、前記サーバ装置に接続するようにされるホーム機器とからなるデータ通信システムで用いられるデータ通信方法であって、
前記クレードル装置において、接続検出手段が、携帯電子機器が接続するようにされたことを検出する接続検出工程と、
前記クレードル装置の前記接続検出工程において携帯電子機器が接続するようにされたことを検出した場合に、前記サーバ装置との間で通信を行うクレードル装置の第２の通信手段を通じて、前記携帯電子機器が接続するようにされたことを前記サーバ装置に通知する通知工程と、
前記サーバ装置において、前記クレードル装置との間で通信を行うサーバ装置の第１の通信手段を通じて前記クレードル装置に携帯電子機器が接続するようにされたことの通知を受け付けた場合であって、前記携帯電子機器がデータを提供するものである場合に、前記携帯電子機器に対して、目的とする情報の提供要求を形成し、サーバ装置の前記第１の通信手段を通じて前記携帯電子機器に送信するようにする第１の送信工程と、
前記携帯電子機器において、前記クレードル装置との間で通信を行う携帯電子機器の通信手段を通じて自機宛に送信されてくる前記サーバ装置からの情報を受信するようにする第１の受信工程と、
前記携帯電子機器の前記第１の受信工程において受信した情報が自機宛の情報提供要求である場合に、準備手段が、当該提供要求に応じて要求元に送信する提供情報を準備する準備工程と、
前記携帯電子機器の前記準備工程において準備した前記提供情報を、携帯電子機器の前記通信手段を通じて要求元に送信するようにする第２の送信工程と、
前記クレードル装置において、自機に接続するようにされた前記携帯電子機器との間で通信を行うクレードル装置の第１の通信手段を通じて前記提供情報を受信し、これを前記サーバ装置との間で通信を行うクレードル装置の前記第２の通信手段を通じて送信するクレードル装置の中継制御工程と、
前記サーバ装置において、前記目的とする情報の提供要求に応じて前記携帯電子機器から送信されてくる提供情報をサーバ装置の前記第１の通信手段を介して受信し、この受信した情報を前記ホーム機器との間で通信を行うサーバ装置の第２の通信手段を通じて送信することにより、前記ホーム機器に送信するように制御するサーバ装置の中継制御工程と、
前記ホーム機器において、前記サーバ装置との間で通信を行うホーム機器の通信手段を通じて自機宛の提供情報を受信した場合に、当該提供情報を記憶手段に記録する記録工程と
を有するデータ通信方法。
【手続補正２】
【補正対象書類名】明細書
【補正対象項目名】発明の名称
【補正方法】変更
【補正の内容】
【発明の名称】データ通信システム、クレードル装置、サーバ装置、およびデータ通信方法
【手続補正３】
【補正対象書類名】明細書
【補正対象項目名】０００１
【補正方法】変更
【補正の内容】
【０００１】
この発明は、例えば、携帯電話端末、デジタルカメラ、携帯型音楽再生装置などの種々の携帯電子機器（モバイル機器）とパーソナルコンピュータなどのサーバ装置との間のデータの送受を仲介するクレードル装置を用いて形成するシステム、このシステムで用いられる装置、および方法に関する。